(57)【要約】【課題】複数の受信方式の間で回路を共有して回路規模を抑えること。【解決手段】第１受信チャネルで信号を受信する第１受信部と、第２受信チャネルで信号を受信する第２受信部と、前記第１受信部及び前記第２受信部から出力される信号を復調し復号化する復調復号部と、広帯域化受信を行う場合には前記第１受信チャネル及び前記第２受信チャネルを互いに異なる受信チャネルに設定し、ダイバーシティ受信を行う場合には前記第１受信チャネル及び前記第２受信チャネルを同一の受信チャネルに設定する制御部と、を備える無線通信装置を提供する。【選択図】図４
2009239734.tif 000002
【特許請求の範囲】
【請求項１】
第１受信チャネルで信号を受信する第１受信部と；
第２受信チャネルで信号を受信する第２受信部と；
前記第１受信部及び前記第２受信部から出力される信号を復調し復号化する復調復号部と；
広帯域化受信を行う場合には前記第１受信チャネル及び前記第２受信チャネルを互いに異なる受信チャネルに設定し、ダイバーシティ受信を行う場合には前記第１受信チャネル及び前記第２受信チャネルを同一の受信チャネルに設定する制御部と；
を備える無線通信装置。
【請求項２】
前記復調復号部は、
前記第１受信部から出力される信号、及び前記第１受信部から出力される信号と前記第２受信部から出力される信号とを合成した信号から、一の信号を選択して出力する復調前選択部と、
前記復調前選択部から出力される信号を復調する第１復調部と、
前記第２受信部から出力される信号を復調する第２復調部と、
を備え、
前記制御部は、広帯域化受信を行う場合には前記復調前選択部に前記第１受信部から出力される信号を選択させ、ダイバーシティ受信を行う場合には前記復調前選択部に前記第１受信部から出力される信号と前記第２受信部から出力される信号とを合成した信号を選択させる、
請求項１に記載の無線通信装置。
【請求項３】
前記復調復号部は、
前記第１復調部から出力される信号及び前記第２復調部から出力される信号から一の信号を選択して出力する復号前選択部と、
前記第１復調部から出力される信号を復調する第１復号部と、
前記復号前選択部から出力される信号を復調する第２復号部と、
をさらに備え、
前記制御部は、高変調度受信を行う場合には前記復号前選択部に前記第１復調部から出力される信号を選択させ、広帯域化受信を行う場合には前記復号前選択部に前記第２復調部から出力される信号を選択させる、
請求項２に記載の無線通信装置。
【請求項４】
前記制御部は、ダイバーシティ受信を行う場合には、さらに前記第２復調部及び前記第２復号部へのクロック供給を停止させる、請求項１に記載の無線通信装置。
【請求項５】
前記制御部は、ダイバーシティ受信と広帯域化受信のいずれも行わない場合には、さらに前記第２受信部、前記第２復調部、及び前記第２復号部へのクロック供給を停止させる、請求項１に記載の無線通信装置。
【請求項６】
前記制御部は、高変調度受信のみを行う場合には、さらに前記第２受信部及び前記第２復調部へのクロック供給を停止させる、請求項３に記載の無線通信装置。
【請求項７】
前記制御部は、ダイバーシティ受信及び高変調度受信を行う場合には、さらに前記第２復調部へのクロック供給を停止させる、請求項３に記載の無線通信装置。
【請求項８】
前記制御部は、さらに受信した信号から推定されるチャネル推定値、受信した信号に含まれる伝送レート情報、及び事前に与えられるチャネル情報のいずれかを用いて受信方式を決定する、請求項１に記載の無線通信装置。
【請求項９】
複数の通信チャネルを使用して信号を送信することのできる無線送信機と：
第１受信チャネルで信号を受信する第１受信部；
第２受信チャネルで信号を受信する第２受信部；
前記第１受信部及び前記第２受信部から出力される信号を復調し復号化する復調復号部；
並びに広帯域化受信を行う場合には前記第１受信チャネル及び前記第２受信チャネルを互いに異なる受信チャネルに設定し、ダイバーシティ受信を行う場合には前記第１受信チャネル及び前記第２受信チャネルを同一の受信チャネルに設定する制御部；
を備える無線受信機と：
を含む無線通信システム。
【請求項１０】
広帯域化受信を行うか否かを決定するステップと；
ダイバーシティ受信を行うか否かを決定するステップと；
広帯域化受信を行う場合には前記第１受信チャネル及び前記第２受信チャネルを互いに異なる受信チャネルに設定し、ダイバーシティ受信を行う場合には前記第１受信チャネル及び前記第２受信チャネルを同一の受信チャネルに設定するステップと；
第１受信チャネル及び第２受信チャネルでそれぞれ信号を受信するステップと；
受信した前記信号を復調し復号化するステップと；
を含む無線通信方法。
【発明の詳細な説明】
【技術分野】
【０００１】
本発明は、無線通信装置、無線通信システム、及び無線通信方法に関する。
【背景技術】
【０００２】
近年、利用可能な通信帯域を複数の周波数帯に分割し、それら周波数帯を組み合わせて通信チャネルを形成する無線通信技術が開発、実用化されている。例えば、ＵＷＢ（Ｕｌｔｒａ  ＷｉｄｅＢａｎｄ）におけるマルチバンドＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式では、ＵＷＢの３．１〜１０．６ＧＨｚの帯域を１４個の周波数帯（サブバンド）に分割して周波数ホッピングする通信チャネルを形成し、干渉の低減や耐障害性の向上を図っている。
【０００３】
また、例えば、高速無線ＬＡＮ（Ｌｏｃａｌ  Ａｒｅａ  Ｎｅｔｗｏｒｋ）規格であるＩＥＥＥ８０２．１１ｎでは、未だ標準化には至っていないものの、伝送レートを現在使用されている２０Ｍｂｐｓから４０Ｍｂｐｓへと高速化させる１つの手法として、複数の通信チャネルを同時に使用する手法が検討されている。
【０００４】
無線通信において同時に複数の通信チャネルを用いる場合、一般的に、各通信チャネルで送受信される信号を処理するための回路を無線通信装置に備えることが必要となり、無線通信装置の回路規模は増大する。例えば、下記特許文献１では、スペクトラム拡散通信において複数の周波数帯を用いて周波数ホッピングを行うために、変調装置、復調装置、拡散変調器をそれぞれ２系統ずつ備えた通信装置が開示されている。また、下記特許文献２では、多数の通信チャネルを並列に用いて通信速度を向上させるために、通信チャネル数であるｎ個のデータ変調部及び復調部を含む無線通信システムが開示されている。
【０００５】
さらに、例えば無線通信におけるフェージングの影響を回避するために無線受信機においてダイバーシティ受信を行う場合などにおいても、無線受信機の回路規模は、追加的に設けられるアンテナなどにより増大する。
【０００６】
【特許文献１】特開２００１−１６８７７１号公報
【特許文献２】特開２００２−２４６９９８号公報
【発明の開示】
【発明が解決しようとする課題】
【０００７】
このように、無線通信において複数の通信チャネルを使用し、またダイバーシティ受信など追加的なアンテナや回路を必要とする通信技術を適用する場合には、回路の共用などにより可能な限り回路規模を抑えることが望ましい。
【０００８】
そこで、本発明は、上記問題に鑑みてなされたものであり、本発明の目的とするところは、複数の受信方式の間で回路を共有して回路規模を抑えた、新規かつ改良された無線通信装置、無線通信システム、及び無線通信方法を提供することにある。
【課題を解決するための手段】
【０００９】
上記課題を解決するために、本発明のある観点によれば、第１受信チャネルで信号を受信する第１受信部と、第２受信チャネルで信号を受信する第２受信部と、前記第１受信部及び前記第２受信部から出力される信号を復調し復号化する復調復号部と、広帯域化受信を行う場合には前記第１受信チャネル及び前記第２受信チャネルを互いに異なる受信チャネルに設定し、ダイバーシティ受信を行う場合には前記第１受信チャネル及び前記第２受信チャネルを同一の受信チャネルに設定する制御部と、を備える無線通信装置が提供される。
【００１０】
かかる構成によれば、前記制御部は、広帯域化受信を行う場合には前記第１受信部及び前記第２受信部の受信チャネルを互いに異なる受信チャネルに設定し、前記第１受信部と前記第２受信部は、それぞれ設定された受信チャネルで広帯域化受信を行う。また、前記制御部は、ダイバーシティ受信を行う場合には前記第１受信部及び前記第２受信部の受信チャネルを同一の受信チャネルに設定し、前記第１受信部と前記第２受信部は、同一の受信チャネルでダイバーシティ受信を行う。そして、復調復号部は前記第１受信部及び前記第２受信部から出力される信号を復調し復号化する。
【００１１】
ここで、前記復調復号部は、前記第１受信部から出力される信号、及び前記第１受信部から出力される信号と前記第２受信部から出力される信号とを合成した信号から、一の信号を選択して出力する復調前選択部と、前記復調前選択部から出力される信号を復調する第１復調部と、前記第２受信部から出力される信号を復調する第２復調部と、を備え、前記制御部は、広帯域化受信を行う場合には前記復調前選択部に前記第１受信部から出力される信号を選択させ、ダイバーシティ受信を行う場合には前記復調前選択部に前記第１受信部から出力される信号と前記第２受信部から出力される信号とを合成した信号を選択させてもよい。
【００１２】
また、前記復調復号部は、前記第１復調部から出力される信号及び前記第２復調部から出力される信号から一の信号を選択して出力する復号前選択部と、前記第１復調部から出力される信号を復調する第１復号部と、前記復号前選択部から出力される信号を復調する第２復号部と、をさらに備え、前記制御部は、高変調度受信を行う場合には前記復号前選択部に前記第１復調部から出力される信号を選択させ、広帯域化受信を行う場合には前記復号前選択部に前記第２復調部から出力される信号を選択させてもよい。
【００１３】
また、前記制御部は、ダイバーシティ受信を行う場合には、さらに前記第２復調部及び前記第２復号部へのクロック供給を停止させてもよい。
【００１４】
また、前記制御部は、ダイバーシティ受信と広帯域化受信のいずれも行わない場合には、さらに前記第２受信部、前記第２復調部、及び前記第２復号部へのクロック供給を停止させてもよい。
【００１５】
また、前記制御部は、高変調度受信のみを行う場合には、さらに前記第２受信部及び前記第２復調部へのクロック供給を停止させてもよい。
【００１６】
また、前記制御部は、ダイバーシティ受信及び高変調度受信を行う場合には、さらに前記第２復調部へのクロック供給を停止させてもよい。
【００１７】
また、前記制御部は、さらに受信した信号から推定されるチャネル推定値、受信した信号に含まれる伝送レート情報、及び事前に与えられるチャネル情報のいずれかを用いて受信方式を決定してもよい。
【００１８】
さらに、上記課題を解決するために、本発明の別の観点によれば、複数の通信チャネルを使用して信号を送信することのできる無線送信機と、第１受信チャネルで信号を受信する第１受信部、第２受信チャネルで信号を受信する第２受信部、前記第１受信部及び前記第２受信部から出力される信号を復調し復号化する復調復号部、並びに広帯域化受信を行う場合には前記第１受信チャネル及び前記第２受信チャネルを互いに異なる受信チャネルに設定し、ダイバーシティ受信を行う場合には前記第１受信チャネル及び前記第２受信チャネルを同一の受信チャネルに設定する制御部、を備える無線受信機と、を含む無線通信システムが提供される。
【００１９】
また、上記課題を解決するために、本発明の別の観点によれば、広帯域化受信を行うか否かを決定するステップと、ダイバーシティ受信を行うか否かを決定するステップと、広帯域化受信を行う場合には前記第１受信チャネル及び前記第２受信チャネルを互いに異なる受信チャネルに設定し、ダイバーシティ受信を行う場合には前記第１受信チャネル及び前記第２受信チャネルを同一の受信チャネルに設定するステップと、第１受信チャネル及び第２受信チャネルでそれぞれ信号を受信するステップと、受信した前記信号を復調し復号化するステップと、を含む無線通信方法が提供される。
【発明の効果】
【００２０】
以上説明したように、本発明に係る無線通信装置、無線通信システム、及び無線通信方法によれば、複数の受信方式の間で回路を共有して回路規模を抑えることができる。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
また、以下の順序にしたがって当該「発明を実施するための最良の形態」を説明する。
〔１〕無線通信システムの概要
〔２〕本発明に関連する受信回路の構成
〔３〕第１の実施形態
〔４〕第２の実施形態
【００２３】
〔１〕無線通信システムの概要
まず、図１を参照しながら、本明細書の一実施形態に係る無線通信システム１について概略的に説明する。
【００２４】
図１は、後述する第１及び第２の実施形態に係る無線通信システム１の構成を示した概念図である。図１に示した無線通信システム１は、無線通信装置１１０と、無線通信装置１２０とを含む。無線通信装置１１０と無線通信装置１２０の間は無線通信によって接続され、無線信号を用いて画像データ、音声データ、映像データ、テキストデータまたはアプリケーションデータなどの様々なデータを相互にやり取りすることができる。
【００２５】
図１において、無線通信装置１１０及び１２０の一例としてＰＣ（Ｐｅｒｓｏｎａｌ  Ｃｏｍｐｕｔｅｒ）を示しているが、無線通信装置１１０及び１２０はＰＣに限られない。例えば、無線通信装置１１０（または無線通信装置１２０）は、携帯電話、ＰＤＡ（Ｐｅｒｓｏｎａｌ  Ｄｉｇｉｔａｌ  Ａｓｓｉｓｔａｎｔｓ）、デジタルカメラ、音楽／映像再生装置、ゲーム端末、家電機器、センサなどの情報処理装置であってもよい。また、無線通信装置１１０（または無線通信装置１２０）は、無線アクセスポイント、ブロードバンドルータなどのネットワーク装置であってもよい。
【００２６】
無線通信装置１１０と無線通信装置１２０との間の無線通信は、例えばＵＷＢのマルチバンドＯＦＤＭ方式の標準仕様に従って実装することができる。ＵＷＢのマルチバンドＯＦＤＭ方式の標準仕様では、ＵＷＢにおいて使用可能な３．１〜１０．６ＧＨｚの帯域は１４個の周波数帯（サブバンド）に分割される。そして、例えばそれら周波数帯のうち１つのみで通信チャネルを形成し、または複数の通信チャネルを用いて周波数ホッピングさせた通信チャネルを形成することができる。
【００２７】
図１に示した例では、無線通信装置１１０と無線通信装置１２０との間で使用可能な周波数帯として、周波数帯Ｂ１、Ｂ２、及びＢ３が示されている。そして、周波数帯Ｂ１を用いて通信チャネル１−１が、周波数帯Ｂ２を用いて通信チャネル１−２が形成されている。
【００２８】
ここで、無線通信装置１１０と無線通信装置１２０との間に複数の通信チャネルを用意し、例えば各通信チャネルで異なるデータを送受信すると、無線通信システム１の全体としての通信容量を増加させることができる。また、例えば複数の通信チャネルを用いて同一のデータを送受信すると、当該データ通信の通信速度を向上させることができる。
【００２９】
例えば、高速無線ＬＡＮ規格であるＩＥＥＥ８０２．１１ｎでは、未だ標準化には至っていないものの、伝送レートを現在使用されている２０Ｍｂｐｓから４０Ｍｂｐｓへと高速化させる１つの手法として、複数の通信チャネルを同時に使用する手法が検討されている。  
【００３０】
本明細書では、このように複数の通信チャネル（または複数の周波数帯）を同時に使用して通信を行うことを“広帯域化”という。また、広帯域化により伝送された信号を複数の通信チャネルで受信する受信方式を、“広帯域化受信”という。例えば、図１の例を参照すると、通信チャネル１−１と通信チャネル１−２とを同時に使用して無線通信装置１２０から送信された無線信号を、無線通信装置１１０により広帯域化受信することができる。
【００３１】
図１に示した無線通信装置１１０において広帯域化受信を行う場合、一般的には、複数の通信チャネルで信号を受信するために、受信回路を通信チャネルの数だけ備えることが求められる。即ち、広帯域化受信により前述のように伝送レートが向上するというメリットがある一方、広帯域化受信を行うと無線通信装置の回路規模が大きくなり、消費電力や製造コストが増大するというデメリットも生じ得る。
【００３２】
一般的に、無線通信装置の回路規模が大きくなる要因は、広帯域化受信だけではない。例えば、複数の経路を通って受信地点に到達した無線信号が相互に干渉を引き起こすフェージング現象への対策として、ダイバーシティ受信方式を使用する場合には、複数のアンテナを用意して当該複数のアンテナで同一のデータを受信する必要がある。
【００３３】
例えば、図１において、無線通信装置１１０と無線通信装置１２０との間で通信チャネル１−２により送受信される信号が、壁などで反射される経路１−２’を通った信号と干渉する可能性がある。そうした場合に、信号間の干渉によって低下したチャネル品質をダイバーシティ受信により補うためには、無線通信装置１１０に複数のアンテナを備えることが求められる。
【００３４】
〔２〕本発明に関連する受信回路の構成
図２は、広帯域化受信とダイバーシティ受信の両方に対応した無線通信装置１０の受信回路の構成の一例を示している。
【００３５】
図２を参照すると、無線通信装置１０の受信回路は、受信部３０、受信部３１、受信部３２、復調復号部３４、及びＭＡＣ（Ｍｅｄｉｕｍ  Ａｃｃｅｓｓ  Ｃｏｎｔｒｏｌｌｅｒ）９０を備える。また、受信部３０は、受信アンテナ４０、ＲＦ（Ｒａｄｉｏ  Ｆｒｅｑｕｅｎｃｙ）回路４２、ＡＤＣ（アナログデジタル変換器）４４、ＦＦＴ（高速フーリエ変換器）４６、及びチャネル補正部４８を含む。受信部３１及び受信部３２は、受信部３０と同様の構成要素を含む。また、復調復号部３４は、復調器５０、デインターリーブ器５２、及び復号器５４を含む第１の系列と、第１の系列と同様の構成要素を含む第２の系列とを有する。
【００３６】
無線通信装置１０においてダイバーシティ受信を行う場合には、例えば３つの受信部３０、３１及び３２のうち受信部３０及び３１を用いて信号が受信される。そして、受信部３０及び３１の出力信号を合成した信号が復調復号部３４の第１の系列に入力され、当該信号に対して復調、復号化などの処理が行われる。
【００３７】
また、無線通信装置１０において広帯域化受信を行う場合には、３つの受信部３０、３１及び３２のうち受信部３０及び３２を用いて信号が受信される。そして、受信部３０の出力信号は復調復号部３４の第１の系列へ、受信部３２の出力信号は復調復号部３４の第２の系列へ入力され、それぞれ復調、復号化される。
【００３８】
このように、無線通信装置１０において広帯域化受信とダイバーシティ受信とを行う場合には、受信アンテナ、ＡＤＣ、ＦＦＴ、及びチャネル補正部などにより構成される受信部を少なくとも３つ備えなければならず、回路規模が増大していた。
【００３９】
そこで、上記のような事情に鑑みて、広帯域化受信とダイバーシティ受信を行うための回路の一部を共用し、回路規模を抑えた無線通信装置１１０を創作するに至った。かかる無線通信装置によれば、複数の受信方式の間で回路を共有して回路規模を抑えることができる。
【００４０】
以下、図４及び図５を参照しながら、本発明の第１の実施形態に係る無線通信装置１１０について説明する。
【００４１】
〔３〕第１の実施形態
まず、図４は、本発明の第１の実施形態に係る無線通信装置１１０の受信回路の構成を示したブロック図である。図４を参照すると、無線通信装置１１０は、第１受信部１３０、第２受信部１３２、復調復号部１３４、及びＭＡＣ１９０を備える。
【００４２】
また、第１受信部１３０は、受信アンテナ１４０、ＲＦ回路１４２、ＡＤＣ１４４、ＦＦＴ１４６、及びチャネル補正部１４８を含む。第２受信部１３２の構成は、図４に示したように第１受信部１３０と同様であるため、ここでは説明を省略する。
【００４３】
また、復号復調部１３４は、合成器１６０、復調前選択部１６２、第１復調部１６４、第１復号部１６６、第２復調部１７０、第２復号部１７４、及び制御部１８０を含む。そして、これら構成要素のうち、第１復調部１６４は復調器１５０を有する。また、第１復号部１６６はデインターリーブ器１５２及び復号器１５４を有する。第２復調部１７０及び第２復号部１７４の構成は、図４に示したように第１復調部１６４及び第１復号部１６６とそれぞれ同様であるため、ここでは説明を省略する。
【００４４】
図４に示した無線通信装置１１０の受信回路において、広帯域化受信もダイバーシティ受信も行わない場合（これを“通常受信”という。）には、無線信号は、まず第１受信部１３０の受信アンテナ１４０に所定の受信チャネルで受信される。
【００４５】
ここで、受信チャネルとは、受信回路が信号を待ち受ける通信チャネルを意味する。受信チャネルは、例えば図１に示したような一定の周波数帯を用いる通信チャネルであってもよい。また、受信チャネルには、例えば所定のＴＦＣ（Ｔｉｍｅ  Ｆｒｅｑｕｅｎｃｙ  Ｃｏｄｅ）パターンで周波数ホッピングする通信チャネルも含まれる。さらに、次に説明するように、ＴＦＣパターンが同一であっても、時間軸上でパターンを繰り返す単位を前後にシフトさせた場合には、それらを異なる受信チャネルとして扱うことができる。
【００４６】
図９は、３つの周波数帯Ｂ１、Ｂ２、Ｂ３を利用可能な無線通信において用いられ得る、いくつかの通信チャネル（または受信チャネル）の例を示している。図９の横軸は時間軸であり、ここでは１２個のタイムスロットに区分されている。
【００４７】
図９に示した（ａ）Ｃｈ１、（ｂ）Ｃｈ２、（ｃ）Ｃｈ３は、それぞれ所定の時点で周波数帯Ｂ１、Ｂ２、Ｂ３のうちいずれか１つの周波数帯を使用する通信チャネルである。このうち、Ｃｈ１は、タイムスロットによらず一定の周波数帯Ｂ１を使用する。Ｃｈ２は、使用する周波数帯を、タイムスロットごとにＢ１→Ｂ２→Ｂ３→Ｂ１・・・（以下繰返し）という順に変化させる。即ち、Ｃｈ１とＣｈ２は互いに異なるＴＦＣパターンを有する。これに対し、Ｃｈ３は、横軸上の３番目のタイムスロットを開始点と見ると、Ｃｈ２と同様のＢ１→Ｂ２→Ｂ３→Ｂ１・・・（以下繰返し）というＴＦＣパターンを有する。しかしながら、Ｃｈ３のＴＦＣパターンの繰り返し単位は、Ｃｈ２から時間Ｔだけ遅れている（時間Ｔ／２だけ早められていると見ることもできる）。よって、このようなＣｈ２とＣｈ３とは、異なる通信チャネルとして扱われる。
【００４８】
図９の（ｄ）、（ｅ）は、上記３つの通信チャネルのうち異なる２つの通信チャネルを同時に使用する、広帯域化受信の一例を示している。例えば（ｄ）を参照すると、通信チャネルＣｈ２とＣｈ３とを同時に使用している。また、（ｅ）を参照すると、通信チャネルＣｈ１とＣｈ２とを同時に使用している。ここで、（ｅ）のように通信チャネルＣｈ１とＣｈ２とを同時に使用する場合には、周波数帯Ｂ１を使用するタイムスロットにおいて周波数帯が重なっている。しかし、こうした場合にも、他のタイムスロットで送受信したデータから誤り訂正を行うことで、正常な無線通信を行うことができる。
【００４９】
図４の説明に戻ると、受信アンテナ１４０で受信された高周波信号は、ＲＦ回路１４２により増幅され、ＡＤＣ１４４によりデジタル信号に変換される。デジタル信号に変換された信号は、ＦＦＴ１４６により高速フーリエ変換された後、チャネル補正部１４８に入力される。チャネル補正部１４８では、入力信号に含まれるチャネル推定信号に基づいて、チャネル補正処理が行われる。チャネル補正部１４８により補正された信号は、復調前選択部１６２へ入力されると共に、合成器１６０へ入力される。
【００５０】
通常受信においては、復調前選択部１６２は、第１受信部１３０から出力された信号を選択し、第１復調部１６４の復調器１５０へ入力する。復調前選択部１６２による信号の選択は、制御部１８０からの切替信号１に基づいて行われる。復調器１５０は、入力された信号の復調処理を行い、復調された信号を第１復号部１６８のデインターリーブ器１５２へ入力する。
【００５１】
デインターリーブ器１５２は、入力された信号のインターリーブを元に戻し、処理後の信号を復号器１５４へ出力する。復号器１５４はデインターリーブ器１５２の出力する信号について復号化を行う。そして、復号化後の信号が復号器１５４からＭＡＣ１９０へ出力される。以上が、本実施形態において通常受信を行う場合の信号の流れである。
【００５２】
次に、ダイバーシティ受信を行う場合の信号の流れについて説明する。ダイバーシティ受信を行う場合には、第２受信部１３２においても信号が受信される。このとき、第２受信部１３２の受信チャネルは、制御部１８０から各ＲＦ回路へ出力されるチャネル制御信号１、２によって、第１受信部１３０の受信チャネルと同一のチャネルに設定される。なお、制御部１８０による受信チャネルの制御については後に詳しく説明する。
【００５３】
第２受信部１３２において、第１受信部と同一の受信チャネルで受信された信号は、通常受信における前述のＲＦ回路１４２からチャネル補正部１４８までの処理と同様に処理される。そして、第２受信部１３２のチャネル補正処理後の信号は、復調器１７０へ入力されると共に、合成器１６０へ入力される。
【００５４】
ここで、復調前選択部１６２には、第１受信部１３０から出力された信号、及び第１受信部１３０から出力された信号と第２受信部１３２から出力された信号とを合成器１６０が合成した信号が入力される。ダイバーシティ受信を行う場合には、復調前選択部１６２は、これらのうち、第１受信部１３０から出力された信号と第２受信部１３２から出力された信号を合成した信号を選択し、第１復調部１６４の復調器１５０へ入力する。
【００５５】
なお、図４の例では、合成器１６０は第１受信部１３０及び第２受信部１３２の出力信号を単純に合成しているが、例えばここで最大比合成方式によって両出力信号を合成してもよい。また、例えば両出力信号を合成する代わりに、信号品質の良好ないずれかの出力信号を選択してもよい。
【００５６】
第１復調部１６４の復調器１５０へ入力された信号は、通常受信の場合と同様に、復調器１５０、デインターリーブ器１５２、及び復号器１５４によって処理され、ＭＡＣ１９０へと入力される。以上が、本実施形態においてダイバーシティ受信を行う場合の信号の流れである。
【００５７】
次に、広帯域化受信を行う場合の信号の流れについて説明する。広帯域化受信を行う場合には、ダイバーシティ受信を行う場合と同様、第２受信部１３２においても信号が受信される。しかしながら、このとき、第２受信部１３２の受信チャネルは、制御部１８０から各ＲＦ回路へ出力されるチャネル制御信号１、２によって、第１受信部１３０の受信チャネルとは異なるチャネルに設定される。
【００５８】
第２受信部１３２において、第１受信部とは異なる受信チャネルで受信された信号を第２受信部１３２が処理した後の信号は、復調器１７０へ入力されると共に、合成器１６０へ入力される。
【００５９】
その後、広帯域化受信を行う場合には、第２復調部１７０及び第２復号部１７４が、第２受信部１３２から出力された信号についての復調、デインターリーブ、復号化の各処理を行う。一方、復調前選択部１６２では、第１受信部１３０から出力された信号が選択され、選択された信号が第１復調部１６４及び第１復号部１６６によって処理される。このようにして、異なる複数の通信チャネルで伝送された無線信号を２つの系統の受信回路で並列的に処理することにより、広帯域化による伝送レート向上のメリットが享受される。
【００６０】
以上説明したように、本実施形態に係る無線通信装置１１０は、図２に例示した無線通信装置１０による受信回路よりも小さい回路規模で、通常受信、ダイバーシティ受信、広帯域化受信の３つの受信方式により無線信号を受信することができる。
【００６１】
ここで、図４に示した無線通信装置１１０の各構成要素の中で、受信方式によっては信号を処理する必要のない構成要素が存在する。例えば、通常受信においては、第２受信部１３２、第２復調部１７０、及び第２復号部１７４の処理は使用されない。また、例えば、ダイバーシティ受信においては、第２復調部１７０、及び第２復号部１７４の処理は使用されない。
【００６２】
そこで、本実施形態では、制御部１８０から第２受信部１３２、第２復調部１７０、及び第２復号部１７４へクロック制御信号１、２を出力し、これら各部におけるクロック供給または電源供給を制御することとする。
【００６３】
より具体的には、例えば通常受信を行う場合には、制御部１８０から第２受信部１３２へクロック制御信号１を、第２復調部１７０及び第２復号部１７４へクロック制御信号２を出力し、当該各部へのクロック供給／電源供給を停止する。ダイバーシティ受信を行う場合には、制御部１８０から第２復調部１７０及び第２復号部１７４へクロック制御信号２を出力し、当該各部へのクロック供給／電源供給を停止する。
【００６４】
クロック制御信号１、２は、例えばクロック供給を行うか否かを示す１ビットのフラグとしてもよい。クロック制御信号１または２を受け取った各部は、受け取ったクロック制御信号の内容に基づいて、当該各部におけるクロック供給／電源供給を停止（または再開）することができる。
【００６５】
このような本実施形態における受信方式ごとのクロック供給／電源供給により、無線通信装置１１０の受信回路の低消費電力化を図ることができる。
【００６６】
以上説明したように、本実施形態では、無線通信装置１１０が用いる受信方式に応じて、第１受信部１３０及び第２受信部１３２の受信チャネルが設定される。また、復調前選択部１６２は、当該受信方式に応じて、第１受信部１３０から出力された信号、及び第１受信部１３０から出力された信号と第２受信部１３２から出力された信号の合成信号のうちの一の信号を選択する。さらに、制御部１８０は、当該受信方式に応じて受信回路の一部の構成要素へのクロック供給／電源供給を制御する。かかる構成を可能とするために、制御部１８０は、例えば次に述べる手法によって、無線通信装置１１０が用いる受信方式を決定することができる。
【００６７】
図５は、本実施形態において、制御部１８０が、通常受信、ダイバーシティ受信、広帯域化受信の３つの受信方式のうち、どの受信方式を用いて信号を受信するかを決定する手法を例示したフローチャートである。  
【００６８】
図５を参照すると、まず無線信号の受信を開始する前に、例えば事前にＭＡＣ１９０などで認識されているチャネル情報が取得される（Ｓ５０４）。ＭＡＣ１９０は、例えば前回受信した信号の内容から、次に受信する信号が広帯域化されたチャネルにより伝送されるか否かを認識してもよい。そして、そのように事前に認識したチャネル情報を、ＭＡＣ１９０は、例えば広帯域化受信を行うか否かを示す１ビットのフラグ、または第１受信部１３０及び第２受信部１３２に設定すべき受信チャネルの識別子などの形式で、制御部１８０に受け渡すことができる。
【００６９】
次に、例えば受信した信号に含まれるチャネル推定値が第１受信部１３０のチャネル補正部１４８から取得される（Ｓ５０８）。チャネル推定値とは、例えばビット誤り率、フレーム誤り率、または信号対干渉比（ＳＩＲ：Ｓｉｇｎａｌ−ｔｏ−Ｉｎｔｅｒｆｅｒｅｎｃｅ  Ｒａｔｉｏ）などであってもよい。
【００７０】
さらに、受信した信号が第１復号部１６６の復号器１５４によって復号化されると、例えば復号化されたパケットのヘッダに含まれる伝送レート情報が復号器１５４から取得される（Ｓ５１２）。
【００７１】
そして、これら情報に基づいて、まず広帯域化受信を行うか否かが判断される（Ｓ５１６）。より具体的には、例えばＳ５０４で取得したチャネル情報により広帯域化受信が指示されているか、またはＳ５１２で取得した伝送レート情報が広帯域化受信を行う場合の伝送レートを示しているかにより、広帯域化受信を行うか否かを判断することができる。例えば、伝送レート情報を用いる場合としては、通常受信時の伝送レートが２０Ｍｂｐｓ、広帯域化受信時の伝送レートが４０Ｍｂｐｓであって、取得された伝送レート情報が４０Ｍｂｐｓであれば、制御部１８０は、広帯域化受信を行うと判断できる。取得したチャネル情報または伝送レート情報がこのような条件を満たしている場合には、制御部１８０は広帯域化受信を行うことを決定し（Ｓ５３２）、フローチャートは終了する。
【００７２】
一方、Ｓ５１６において広帯域化受信を行わないと判断されると、続いてチャネル品質が良好であるかが判断される（Ｓ５２０）。チャネル品質が良好であるかどうかは、例えばＳ５０８において取得されたチャネル推定値と事前に与えられる閾値とを比較することによって行うことができる。ここで、チャネル品質が良好である場合には、制御部１８０は通常受信を行うことを決定し（Ｓ５２４）、フローチャートは終了する。一方、チャネル品質が良好でない場合には、制御部１８０はダイバーシティ受信を行うことを決定し（Ｓ５２８）、フローチャートは終了する。
【００７３】
以上説明した一例としての図５のフローチャートに従って、制御部１８０は、通常受信、ダイバーシティ受信、広帯域化受信の３つの受信方式のうち、どの受信方式を用いて信号を受信するかを決定することができる。
【００７４】
ここまで、第１の実施形態に係る無線通信装置１１０の受信回路の構成について説明を行った。本実施形態では、制御部１８０が第１受信部１３０及び第２受信部１３２の受信チャネルを制御し、ダイバーシティ受信時には両受信部に同一の受信チャネル、広帯域化受信時には両受信部に互いに異なる受信チャネルを設定する。また、通常受信時には第１受信部１３０に所定の受信チャネルを設定する。かかる構成により、通常受信、ダイバーシティ受信、広帯域化受信の３つの受信方式の間で第１受信部１３０と第２受信部１３２とが共用され、無線通信装置１１０の回路規模の増大が抑えられる。
【００７５】
さらに、本実施形態において、制御部１８０は、受信方式に応じて、第２受信部１３２、第２復調部１７０、及び第２復号部１７４のうち使用されない構成要素へのクロック供給／電源供給を停止してもよい。かかる構成により、無線通信装置１１０の消費電力が低減される。
【００７６】
次に、図３、及び図６〜８を参照しながら、本発明の第２の実施形態に係る無線通信装置２１０について説明する。
【００７７】
〔４〕第２の実施形態
本発明の第２の実施形態に係る無線通信装置２１０の受信回路は、通常受信、ダイバーシティ受信、広帯域化受信に加え、さらに高い変調密度でデータを搬送波に変調させる高変調度受信と呼ばれる受信方式によって信号を受信することができる。
【００７８】
例えば、通常受信においてＱＰＳＫ（Ｑｕａｄｒａｔｕｒｅ  Ｐｈａｓｅ  ＳｈｉｆｔＫｅｙｉｎｇ）方式で信号を変調する場合には、１回の変調で２ビットの情報を通信チャネルに載せることができる。これに対し、例えば１６ＱＡＭ（Ｑｕａｄｒａｔｕｒｅ  Ａｍｐｌｉｔｕｄｅ  Ｍｏｄｕｌａｔｉｏｎ）方式を用いると、１回の変調で通常受信の２倍の４ビットの情報を通信チャネルに載せることができる。よって、例えばＱＰＳＫにより変調されたチャネルを用いる通常受信に対して、１６ＱＡＭにより変調されたチャネルを用いる受信方式を高変調度受信として扱うことができる。
【００７９】
例えば、高速無線ＬＡＮ規格であるＩＥＥＥ８０２．１１ｎでは、伝送レートを２０Ｍｂｐｓから４０Ｍｂｐｓへと高速化させる１つの手法として、前述の広帯域化受信のほかに、１６ＱＡＭなどの高変調度の変調方式を使用する手法が検討されている。  
【００８０】
図３は、広帯域化受信、ダイバーシティ受信、及び高変調度受信に対応した無線通信装置１１の受信回路の構成の一例を示している。
【００８１】
図３を参照すると、無線通信装置１１の受信回路は、図２に示した無線通信装置１０の受信回路と同様、受信部３０、受信部３１、受信部３２、復調復号部３５、及びＭＡＣ９０を備える。受信部３０、受信部３１、受信部３２、及びＭＡＣ９０は、無線通信装置１０の同一符号を付した各部と同様の構成を有する。一方、復調復号部３５は、無線通信装置１０の復調復号部３４の構成に加えて、復調器５０とＭＡＣ９０の間に配置される復号部３６を含む。
【００８２】
無線通信装置１１が高変調度受信を行う場合、復調器５０により復調された信号は、通常受信の場合と比べて多くの符号化データを含む。復号部３６は、そうした符号化データを並列的に高速に復号化するために用いられる。
【００８３】
このように、無線通信装置１１において広帯域化受信とダイバーシティ受信、及び高変調度受信を行う場合には、少なくとも３つの受信部と３つの復号部とを備えなければならず、回路規模が増大していた。これに対し、以下に説明する本発明の第２の実施形態では、受信方式間での回路の共有により、受信回路の回路規模の増大を抑制する。
【００８４】
図６は、本発明の第２の実施形態に係る無線通信装置２１０の受信回路の構成を示したブロック図である。図６を参照すると、無線通信装置２１０は、第１受信部２３０、第２受信部２３２、復調復号部２３４、及びＭＡＣ２９０を備える。
【００８５】
第１受信部２３０及び第２受信部２３２の構成は、図４に関連して説明した第１の実施形態の無線通信装置１１０の第１受信部１３０及び第２受信部１３２の構成と同様である。
【００８６】
一方、復号復調部２３４は、合成器２６０、復調前選択部２６２、第１復調部２６４、第１復号部２６６、第２復調部２７０、復号前選択部２７２、第２復号部２７４、及び制御部２８０を含む。これらのうち、第１復調部２６４、第１復号部２６６、第２復調部２７０及び第２復号部２７４の構成は、図４に関連して説明した無線通信装置１１０の第１復調部１６４、第１復号部１６６、第２復調部１７０及び第２復号部１７４の構成とそれぞれ同様である。
【００８７】
本実施形態において追加的に備えられた復号前選択部２７２には、第１復調部２６４から出力された信号、及び第２復調部２７０から出力された信号が入力される。高変調度受信を行う場合には、復号前選択部２７２は、制御部２８０からの切替信号２に基づいて、第１復調部２６４から出力された信号を選択し、第２復号部２７４へ入力する。
【００８８】
一方、広帯域化受信を行う場合には、復号前選択部２７２は、第２復調部２７０から出力された信号を選択し、第２復号部２７４へ入力する。この復号前選択部２７２による信号の選択を除いて、通常受信、ダイバーシティ受信、広帯域化受信を行う場合の信号の流れは、第１の実施形態に関連して説明した無線通信装置１１０における信号の流れと同様である。そのため、ここでは高変調度受信を行う場合の信号の流れについてのみ説明する。
【００８９】
高変調度受信を行う場合には、通常は、第２受信部２３２において信号を受信する必要はない。しかしながら、例えば図５に関連して説明したチャネル推定値によりチャネル品質が良好でないと判断された場合には、高変調度受信とダイバーシティ受信とを同時に行ってもよい。高変調度受信とダイバーシティ受信とを同時に行う場合には、第２受信部２３２の受信チャネルは、制御部２８０から出力されるチャネル制御信号１、２によって、第１受信部２３０の受信チャネルと同一のチャネルに設定される。
【００９０】
第１受信部２３０により受信され処理された信号は、復調前選択部２６２及び合成器２６０へ入力される。その後、復調前選択部２６２は、高変調度受信のみを行う場合には、第１受信部２３０から出力された信号を選択し、第１復調部２６４へ入力する。また、復調前選択部２６２は、高変調度受信及びダイバーシティ受信を行う場合には、第１受信部２３０から出力された信号と第２受信部２３２から出力された信号の合成信号を選択し、第１復調部２６４へ入力する。
【００９１】
そして、第１復調部２６４へ入力された信号は、第１復調部２６４により復調され、第１復号部２６６と第２復号部２７４とにより並列的に復号化された後、ＭＡＣ２９０へ入力される。かかる構成により、高変調度で変調された信号が高速に復号化され、高変調度受信による伝送レート向上のメリットが享受される。
【００９２】
以上説明したように、本実施形態に係る無線通信装置２１０は、図３に例示した無線通信装置１１の受信回路よりも小さい回路規模で、通常受信、ダイバーシティ受信、広帯域化受信、及び高変調度受信により無線信号を受信することができる。また、高変調度受信を行う場合には、同時にダイバーシティ受信を行うこともできる。
【００９３】
また、第１の実施形態と同様、本実施形態においても、制御部２８０から第２受信部２３２、第２復調部２７０、及び第２復号部２７４へクロック制御信号１〜３を出力し、これら各部におけるクロック供給／電源供給を制御してもよい。
【００９４】
より具体的には、例えば高変調度受信のみを行う場合には、第２受信部２３２及び第２復調部２７０は使用されない。また、高変調度受信及びダイバーシティ受信を行う場合には、第２復調部２７０は使用されない。よって、高変調度受信のみを行う場合には、制御部２８０から第２受信部２３２へクロック制御信号１、第２復調部２７０へクロック制御信号２を出力し、当該各部におけるクロック供給／電源供給を停止することができる。また、高変調度受信及びダイバーシティ受信を行う場合には、制御部２８０から第２復調部２７０へクロック制御信号２を出力し、第２復調部２７０におけるクロック供給／電源供給を停止することができる。
【００９５】
このような受信方式ごとのクロック供給／電源供給により、無線通信装置２１０の受信回路の低消費電力化を図ることができる。
【００９６】
図７は、本実施形態において、制御部２８０が、通常受信、ダイバーシティ受信、広帯域化受信、高変調度受信のみ、高変調度受信及びダイバーシティ受信の５つの受信方式のうち、どの受信方式を用いるかを決定する手法を例示したフローチャートである。  
【００９７】
図７を参照すると、まず無線信号の受信を開始する前に、ＭＡＣ２９０からチャネル情報が取得される（Ｓ７０４）。次に、受信した信号に含まれるチャネル推定値が第１受信部２３０のチャネル補正部２４８から取得される（Ｓ７０８）。さらに、例えば復号器２５４によって復号化されたパケットのヘッダに含まれる伝送レート情報が復号器２５４から取得される（Ｓ７１２）。
【００９８】
次に、Ｓ７０４で取得したチャネル情報及びＳ７１２で取得した伝送レート情報に基づいて、広帯域化受信を行うか否かが判断される（Ｓ７１６）。例えば、Ｓ７１２で取得した伝送レート情報が広帯域化された場合の伝送レートを示していれば、制御部２８０は広帯域化受信を行うことを決定し（Ｓ７４８）、フローチャートは終了する。
【００９９】
一方、制御部２８０は、Ｓ７１６において広帯域化受信を行わないと判断すると、続いて高変調度受信を行うか否かを判断する（Ｓ７２０）。高変調度受信を行うか否かは、例えばＳ７１２で取得した伝送レート情報が高変調度受信を行う場合の伝送レートを示しているかにより判断することができる。
【０１００】
Ｓ７２０において、高変調度受信を行わないと判断すると、制御部２８０は、Ｓ７０８で取得したチャネル推定値を用いて、チャネル品質が良好であるかを判断する（Ｓ７２４）。チャネル品質が良好である場合には、制御部２８０は通常受信を行うことを決定し（Ｓ７３２）、フローチャートは終了する。一方、チャネル品質が良好でない場合には、制御部２８０はダイバーシティ受信を行うことを決定し（Ｓ７３６）、フローチャートは終了する。
【０１０１】
また、Ｓ７２０において、高変調度受信を行うと判断した場合にも、制御部２８０は、Ｓ７０８で取得したチャネル推定値を用いて、チャネル品質が良好であるかを判断する（Ｓ７２８）。チャネル品質が良好である場合には、制御部２８０は高変調度受信のみを行うことを決定し（Ｓ７４０）、フローチャートは終了する。一方、チャネル品質が良好でない場合には、制御部２８０は高変調度受信及びダイバーシティ受信を行うことを決定し（Ｓ７４４）、フローチャートは終了する。
【０１０２】
以上説明した一例としての図７のフローチャートに従って、制御部２８０は、通常受信、ダイバーシティ受信、広帯域化受信、高変調度受信のみ、高変調度受信及びダイバーシティ受信の５つの受信方式のうち、どの受信方式を用いて信号を受信するかを決定し得る。
【０１０３】
次に、これら５つの各受信方式と、第１受信部２３０及び第２受信部２３２の受信チャネルの設定、復調前選択部２６２及び復号前選択部２７２における出力信号の選択、並びに各構成要素へのクロック供給／電源供給の停止の有無との対応を図８に整理する。
【０１０４】
図８に示した表において、第１列目は、制御部２８０による制御の対象を、制御部２８０から出力される制御信号の名称を用いて示している。また、第２〜６列目には、それぞれ５つの受信方式ごとに、各制御信号によりどういった内容の制御が行われるかが記載されている。
【０１０５】
表の見出し行に続く第１行目を参照すると、各受信方式において、制御部２８０から第１受信部２３０及び第２受信部２３２へ出力するチャネル制御信号１、２により、各受信部の受信チャネルがどのように設定されるかが示されている。
【０１０６】
例えば、通常受信または高変調度受信の場合には、第１受信部２３０の受信チャネルのみが所定のチャネルに設定される（第２列、第４列）。ダイバーシティ受信または“高変調度及びダイバーシティ”受信の場合には、第１受信部２３０と第２受信部２３２の受信チャネルは同一のチャネルに設定される（第３列、第５列）。広帯域化受信の場合には、第１受信部２３０と第２受信部２３２の受信チャネルは異なるチャネルに設定される（第６列）。
【０１０７】
表の第２〜３行目には、各受信方式において、制御部２８０から復調前選択部２６２及び復号前選択部２７２へ出力される切替信号１、２により、各選択部における信号の選択がどのように変更されるかが示されている。
【０１０８】
例えば、切替信号１に基づいて、復調前選択部２６２は、ダイバーシティ受信を行わない場合には第１受信部２３０からの出力信号を選択する（第２、４、６列）。一方、切替信号１に基づいて、復調前選択部２６２は、ダイバーシティ受信を行う場合には、第１受信部２３０の出力信号と第２受信部からの出力信号の合成信号を選択する（第３列、第５列）。
【０１０９】
また、切替信号２に基づいて、復号前選択部２７２は、高変調度受信を行う場合には第１復調部２６４からの出力信号を選択する（第４列、第５列）。一方、切替信号２に基づいて、復号前選択部２７２は、広帯域化受信を行う場合には第２復調部２７０の出力信号を選択する（第６列）。通常受信またはダイバーシティ受信のみを行う場合には、第２復号部２７４は使用されないため、復号前選択部２７２は、いずれの信号を選択してもよい（第２、第３列）。
【０１１０】
さらに、図８の表の第７〜第９行目には、各受信方式において、制御部２８０から第２受信部２３２、第２復調部２７０、及び第２復号部２７４へ出力されるクロック制御信号１〜３により、各部のクロック供給／電源供給がどのように制御されるかが示されている。
【０１１１】
例えば、通常受信の場合には、クロック制御信号１〜３のいずれもが停止を示している。即ち、第２受信部２３２、第２復調部２７０、及び第２復号部２７４へのクロック供給／電源供給は全て停止される（第２列）。ダイバーシティ受信の場合には、クロック制御信号１が供給、クロック制御信号２、３が停止を示している。即ち、第２復調部２７０、及び第２復号部２７４へのクロック供給／電源供給が停止される（第３列）。高変調度受信の場合には、クロック制御信号１、２が停止、クロック制御信号３が供給を示している。即ち、第２受信部２３２、及び第２復調部２７０へのクロック供給／電源供給が停止される（第４列）。
【０１１２】
同様に、“高変調度及びダイバーシティ”受信の場合には、第２復調部２７０へのクロック供給／電源供給が停止される（第５列）。広帯域化受信の場合には、第２受信部２３２、第２復調部２７０、及び第２復号部２７４の全てへクロック供給／電源供給が行われる（第６列）。
【０１１３】
ここで、図８に示した制御の内容は、高変調度受信に関連する部分を除いて、第１の実施形態に係る制御部１８０による制御についても適用することができる。
【０１１４】
ここまで、第２の実施形態に係る無線通信装置２１０の受信回路の構成について説明を行った。ここで説明した無線通信装置２１０の受信回路の構成により、無線通信装置２１０は、ダイバーシティ受信、広帯域化受信に加え、高変調度受信を行う場合にも受信回路の各部を共用し、回路規模を抑えることができる。
【０１１５】
また、本実施形態において、制御部２８０は、受信方式に応じて、第２受信部２３２、第２復調部２７０、及び第２復号部２７４のうち使用されない構成要素へのクロック供給／電源供給を停止してもよい。そうすることにより、無線通信装置２１０の消費電力は低減される。
【０１１６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１１７】
例えば、通信チャネルが３つ以上の周波数帯等を用いて広帯域化され、または通常受信時の２倍を超える変調密度でデータが変調される場合には、さらに第３の受信部、復調部、復号部などを備えてもよい。そうした場合にも、本明細書で示したような受信チャネルの設定、信号選択、クロック供給／電源供給の制御により、回路規模の増大を抑制し、または低消費電力化や製造コスト低減などのメリットを享受することができる。
【０１１８】
また、本明細書では受信方式を制御部が決定することとしたが、制御部とは別に設ける何らかの処理部において受信方式を決定してもよい。
【図面の簡単な説明】
【０１１９】
【図１】複数の通信チャネルを使用する無線通信システムの一例を示した概念図である。
【図２】広帯域化受信及びダイバーシティ受信に対応した受信回路の構成例を示したブロック図である。
【図３】広帯域化受信、ダイバーシティ受信及び高変調度受信に対応した受信回路の構成例を示したブロック図である。
【図４】本発明の第１の実施形態に係る受信回路の構成を示したブロック図である。
【図５】第１の実施形態において受信方式を決定するためのフローチャートである。
【図６】本発明の第２の実施形態に係る受信回路の構成を示したブロック図である。
【図７】第２の実施形態において受信方式を決定するためのフローチャートである。
【図８】受信方式ごとの制御の内容の一例を示した対応表である。
【図９】異なる受信チャネルの例を示した説明図である。
【符号の説明】
【０１２０】
１              通信システム
１１０、２１０  無線通信装置
１３０、２３０  第１受信部
１３２、２３２  第２受信部
１３４、２３４  復調復号部
１６２、２６２  復調前選択部
１６４、２６４  第１復調部
１６６、２６６  第１復号部
１７０、２７０  第２復調部
１７４、２７４  第２復号部
１７２、２７２  復号前選択部
１８０、２８０  制御部
【図１】
2009239734.tif 000003
【図２】
2009239734.tif 000004
【図３】
2009239734.tif 000005
【図４】
2009239734.tif 000006
【図５】
2009239734.tif 000007
【図６】
2009239734.tif 000008
【図７】
2009239734.tif 000009
【図８】
2009239734.tif 000010
【図９】
2009239734.tif 000011